(57)【要約】【課題】電話端末の登録の自動化を実現することにより、電話端末設定にかかる作業負荷の軽減と作業ミスの排除をが可能なＩＰ電話端末登録方法を提供する。【解決手段】電話端末をＩＰネットワークに接続すると、ＤＨＣＰ装置が主装置に端末登録要求を出し、主装置は電話番号を自動的に割当て端末登録処理を行い、ＤＨＣＰ装置は電話端末に返すネットワーク情報の通知に、主装置のＩＰアドレスと割り当てられた電話番号を含めて通知し、電話端末は受信した主装置のＩＰアドレスと電話番号とを自端末の情報として設定することにより、電話端末の登録を自動化する。【選択図】  図３
2010187406.tif 000002
【特許請求の範囲】
【請求項１】
呼接続装置における音声端末の登録方法であって、
前記音声端末の第1の識別情報を含む登録要求を受信すると、
前記音声端末の識別情報と電話番号を記憶する記憶部を参照し、
前記記憶部内の識別情報に前記第1の識別情報と一致するものがあるかを判断し、
一致するものがない場合は、いずれの前記識別情報とも対応付けられていない電話番号と前記第１の識別情報を対応付けて前記記憶部に登録することを特徴とする登録方法。
【請求項２】
請求項１記載の登録方法であって、
前記記憶部内の識別情報に前記第1の識別情報と一致するものがあるかを判断し、
一致するものがある場合は、一致した前記識別情報に対応付けられている電話番号と、前記音声端末のネットワークアドレスとを対応付けて前記記憶部に登録することを特徴とする登録方法。
【請求項３】
請求項２記載の登録方法であって、
前記識別情報はMACアドレスであることを特徴とする登録方法。
【請求項４】
請求項２記載の登録方法であって、
前記ネットワークアドレスはIPアドレスであることを特徴とする登録方法。
【請求項５】
請求項１記載の登録方法であって、
前記登録要求はUDPパケットであることを特徴とする登録方法。
【請求項６】
音声端末の呼接続装置への登録方法であって、
前記音声端末は、ネットワークに接続されると、ネットワーク接続に必要な設定情報を要求するための設定情報要求を送信し、前記設定情報を受信すると前記呼接続装置に登録要求を送信し、
前記呼接続装置は、前記登録要求を受信すると、前記受信した登録要求に含まれる前記音声端末のネットワークアドレスと予め記憶している電話番号とを対応付けて登録し、
前記登録要求の宛先アドレスは、予め定められたメモリから読み出した呼接続装置のネットワークアドレスであることを特徴とする登録方法。
【請求項７】
請求項６記載の登録方法であって、
前記登録要求に含まれるネットワークアドレスは前記設定情報の受信により入手したネットワークアドレスであることを特徴とする登録方法。
【請求項８】
請求項７記載の登録方法であって、
前記登録要求には、前記音声端末の識別情報が含まれ、
前記呼接続装置は、前記電話番号と前記ネットワークアドレスと前記識別情報を対応付けて登録することを特徴とする登録方法。
【請求項９】
請求項８記載の登録方法であって、
前記識別情報はMACアドレスであることを特徴とする登録方法。
【請求項１０】
請求項８記載の登録方法であって、
前記ネットワークアドレスはIPアドレスであることを特徴とする登録方法。
【請求項１１】
音声端末の第1の識別情報を含む登録要求を受信する受信部と、
前記音声端末の識別情報と電話番号を記憶する記憶部とを有し、
前記登録要求を受信すると、前記記憶部内の識別情報に前記第1の識別情報と一致するものがあるかを判断し、一致するものがない場合は、いずれの前記識別情報とも対応付けられていない電話番号と前記第１の識別情報を対応付けて前記記憶部に登録することを特徴とする呼接続装置。
【請求項１２】
請求項１１記載の呼接続装置であって、
前記登録要求を受信すると、前記記憶部内の識別情報に前記第1の識別情報と一致するものがあるかを判断し、一致するものがある場合は、一致した前記識別情報に対応付けられている電話番号と、前記音声端末のネットワークアドレスとを対応付けて前記記憶部に登録することを特徴とする呼接続装置。
【請求項１３】
請求項１２記載の呼接続装置であって、
前記識別情報はMACアドレスであることを特徴とする呼接続装置。
【請求項１４】
請求項１２記載の呼接続装置であって、
前記ネットワークアドレスはIPアドレスであることを特徴とする呼接続装置。
【請求項１５】
請求項１１記載の呼接続装置であって、
前記登録要求はUDPパケットであることを特徴とする呼接続装置。
【請求項１６】
音声端末と呼接続装置からなる呼接続システムであって、
前記音声端末は、ネットワーク接続に必要な設定情報を要求するための設定情報要求を送信し、前記設定情報を受信すると前記呼接続装置に登録要求を送信する送受信部を有し、
前記呼接続装置は、前記登録要求を受信する受信部と、前記受信した登録要求に含まれる前記音声端末のネットワークアドレスと予め記憶している電話番号とを対応付けて登録する記憶部とを有し、
前記登録要求の宛先アドレスは、予め定められたメモリから読み出した呼接続装置のネットワークアドレスであることを特徴とする呼接続システム。
【請求項１７】
請求項１６記載の呼接続システムであって、
前記登録要求に含まれるネットワークアドレスは前記設定情報の受信により入手したネットワークアドレスであることを特徴とする呼接続システム。
【請求項１８】
請求項１７記載の呼接続システムであって、
前記登録要求には、前記音声端末の識別情報が含まれ、
前記呼接続装置の前記記憶部には、前記電話番号と前記ネットワークアドレスと前記識別情報が対応付けられて登録されることを特徴とする呼接続システム。
【請求項１９】
請求項１８記載の呼接続システムであって、
前記識別情報はMACアドレスであることを特徴とする呼接続システム。
【請求項２０】
請求項１８記載の呼接続システムであって、
前記ネットワークアドレスはIPアドレスであることを特徴とする呼接続システム。
【発明の詳細な説明】
【技術分野】
【０００１】
本発明はＩＰ電話装置、ＩＰ電話端末およびその登録方法に関する。
【背景技術】
【０００２】
近年、インターネットやイントラネットなどのＩＰネットワークの発展により、ネット
ワークを介した様々なコミュニケーション手段が発明されている。特にボイス  オーバ  
アイピー(Voice Over IP)技術を用いたＩＰ電話の登場により電話システムは大きな変革
期を迎えている。そのＩＰ電話システムの代表的なものの一つに企業内などで利用される
内線ＩＰ電話システムがある。
【０００３】
一般的に、内線ＩＰ電話システムにおいては、ＩＰ電話システム主装置(以下、主装置
とする)は、が内線電話システム内の電話端末を管理し、これら電話端末間の通話のため
の呼制御を行う。電話端末にはさまざまなタイプがあり、ＩＰネットワークに直接接続で
きる固定ＩＰ電話機や、パーソナルコンピュータ(Personal Computer:以下ＰＣ)15上のソ
フトフォンと呼ばれる電話アプリケーションプログラムにスピーカ・マイクを接続した電
話端末や、無線LANアクセスポイントを経由して接続される無線電話端末などがある。
【０００４】
内線ＩＰ電話システムを構築する時には、内線ＩＰ電話システム内のすべての電話端末
にＩＰアドレスと内線番号を割り当てる必要がある。また同時に主装置にもこれら端末の
設定情報を管理情報として登録しておく必要がある。これらの設定内容の整合性が取られ
ることにより内線ＩＰ電話システムとして機能するようになる。
【０００５】
このうち内線番号の番号割当ては、複数拠点や在籍人数などを考慮して、システム導入
前に綿密な番号計画を策定しておく必要がある。この番号計画は非常に手間がかかる。こ
の問題点を解決するための一例としては、特開２００２−３１５０２９号で例示されてい
るように、その電話端末の設置場所に応じて自動的に内線番号を割り当てる方法が開示さ
れている。
【０００６】
また電話端末のＩＰアドレス設定もシステム導入時に一台ごとに行わなくてはならず、
非常に手間がかかっていた。ＩＰアドレス割当ての軽減方法としては、ダイナミック  ホ
スト  コンフィギュレーション  プロトコル(Dynamic Host Configuration Protocol:以
下、ＤＨＣＰ)の利用が考えられる。ＤＨＣＰは、ＩＰネットワークに接続するＩＰ機器
に、ＩＰアドレスなどのネットワーク情報を割り当てるプロトコルであり、ＩＰネットワ
ーク上にＤＨＣＰ装置を設置することにより、ＤＨＣＰ対応の電話端末であれば、ＩＰア
ドレスの設定が不要となり、ＩＰ機器である電話端末への設定作業を軽減することができ
る。
【０００７】
ＤＨＣＰ装置は、ＤＨＣＰ対応のＩＰ機器がＩＰネットワークに接続されると、あらか
じめ決められた範囲でユニークなＩＰアドレスをＩＰ機器に割り当てることができる。ま
た、ＤＨＣＰには、ＲＦＣ２１３１とＲＦＣ２１３２で拡張機能が規定されている。この
拡張機能を利用し、オプション部分にタグ番号で示されるさまざまな種類のデータを設定
して、より詳細なオプション・データを通知することができる。例えば、ＤＨＣＰ装置に
より割り当てられたＩＰアドレスに利用可能期間（リース期間）を設定したり、端末側に
使用させたいＤＮＳ(Domain Name Server)サーバやデフォルト・ゲートウェイのＩＰアド
レスを送信し、これらを自動設定させたりすることができる。
【０００８】
【先行技術文献】
【特許文献】
【０００９】
【特許文献１】特許第３４３６４７１号公報
【特許文献２】特許第３１５５２４０号公報
【特許文献３】特開２００２−３１５０２９号
【発明の概要】
【発明が解決しようとする課題】
【００１０】
上記従来技術によると、ＩＰ電話端末をＩＰ電話システムに新規に登録する場合、ＤＨ
ＣＰによりＩＰアドレスを自動的に設定したり、内線番号を自動的に割り当てることはで
きるが、主装置のＩＰアドレスの取得が実現できていない。このため、個々のＩＰ電話端
末に対して作業者が電話端末の設定作業を行う必要が依然発生する。ＩＰ電話システム導
入時は、膨大な数のＩＰ電話端末を同時期に登録する必要があり、作業者によりひとつひ
とつのＩＰ電話端末の設定作業を行うのでは効率が悪い。また作業ミス起きない設定方法
も望まれていた。
【００１１】
本発明は上記課題に鑑みてなされたものであり、ＩＰ電話システムへの電話端末の登録
を自動化し、端末設定作業の効率向上と作業ミスを排除することを目的とする。
【課題を解決するための手段】
【００１２】
上記課題を解決するため、本発明においては、電話端末をＩＰネットワークに接続する
と、ＤＨＣＰ装置が主装置に端末登録要求を出し、主装置は電話番号を自動的に割当て端
末登録処理を行い、ＤＨＣＰ装置は電話端末に返すネットワーク情報の通知に、主装置の
ＩＰアドレスと割り当てられた電話番号を含めて通知し、電話端末は受信した主装置のＩ
Ｐアドレスと電話番号とを自端末の情報として設定することにより、電話端末の登録を自
動化した。
【００１３】
より詳しくは、少なくとも一つのＩＰ電話端末と、ＩＰ電話端末を管理するＩＰ電話シ
ステム主装置と、ＩＰネットワーク上のＩＰ機器にネットワーク情報の通知を行うネット
ワーク情報通知装置とを含むＩＰ電話システムにおいて、ＩＰ電話端末は、新規登録時に
は、自身のＭＡＣアドレスとネットワーク情報通知装置より受信したＩＰアドレスと、自
身がＩＰ電話端末であることを示す端末情報を含む接続要求メッセージをネットワーク情
報通知装置に送信し、ネットワーク情報通知装置は、記憶部を有し、該記憶部に予め前記
ＩＰ電話システム主装置のＩＰアドレスを記憶しておき、ＩＰ電話端末より接続要求メッ
セージを受信すると記憶しておいたＩＰアドレスに基づいてＩＰ電話システム主装置にＩ
Ｐ電話端末のＭＡＣアドレスおよびＩＰアドレスを含む端末登録要求メッセージを送信し
、ＩＰ電話システム主装置は電話番号を管理する管理テーブルとを有し、端末登録要求メ
ッセージに含まれるＭＡＣアドレスとＩＰアドレスに対応付けて既に登録されているかま
たは新規に登録した電話番号をネットワーク情報通知装置に送信し、ネットワーク情報通
知装置は、また、電話番号を受信してＩＰ電話端末に、電話番号と記憶部に記憶している
ＩＰ電話システム主装置のＩＰアドレスとを通知し、
ＩＰ電話装置のネットワーク情報処理部が受信した電話番号およびＩＰ電話システム主
装置のＩＰアドレスに基づいて設定処理を行ようにした。
【発明の効果】
【００１４】
本発明によれば、ＩＰ電話端末をＩＰネットワークに接続するだけで、内線電話番号が
割り当てられ電話機として利用することができるようになる。すなわちＩＰ電話端末のプ
ラグアンドプレイ(Ｐｌｕｇ＆Ｐｌａｙ)を実現できる。
【００１５】
これにより、従来は作業者の手作業で実施していた電話端末の登録作業が不要となり、
端末設定作業者の電話端末設置にかかる時間と労力を大幅に軽減することができる。
その他の効果として、手作業で実施していた内線電話番号やＩＰアドレスの設定誤りなど
の人的ミスが根本的に排除できる。
【図面の簡単な説明】
【００１６】
【図１】内線ＩＰ電話システムの概略構成を示す図である。
【図２】本発明の一実施形態における内線ＩＰ電話システムの構成を示すブロック図である。
【図３】本発明の一実施形態における装置、端末間のメッセージ送受信を示すシーケンス図である。
【図４】主装置における端末登録処理のフローを示す図である。
【図５】主装置の管理テーブルの構成を示す図である。
【図６】ＤＨＣＰメッセージの構成を示す図である。
【発明を実施するための形態】
【００１７】
以下、本発明の実施形態について図面を参照して詳述する。
【００１８】
まず、一般的な内線ＩＰ電話システムの概略構成を図１に示す。図１において、ＩＰ電
話システム主装置１１(以下、主装置１１とする)は、内線電話システム内の電話端末１２
、１３、１４、１７を管理し、これら電話端末間の通話のための呼制御を行うものである
。電話端末にはさまざまなタイプがあり、ＩＰネットワークに直接接続できる固定ＩＰ電
話機１２、１３や、パーソナルコンピュータ(ＰＣ：Personal Computer)15上のソフトフ
ォンと呼ばれる電話アプリケーションプログラム１４にスピーカ・マイク１６を接続した
電話端末や、無線LANアクセスポイント１７を経由して接続される無線電話端末１８など
がある。
【００１９】
内線ＩＰ電話システム構築時には、すべての電話端末１２、１３、１４、１７にＩＰア
ドレスと内線番号を割り当てる必要がある。また同時に主装置１１にもこれら端末の設定
情報を管理情報として登録しておく必要がある。これらの設定内容がすべて揃い、かつ整
合性が取れてはじめて内線ＩＰ電話システムとして機能するようになる。
【００２０】
次に、本発明における一実施形態のＩＰ電話システムの構成について説明する。
図２は、本発明における一実施形態を示すブロック構成図である。
図２において、ＤＨＣＰ装置２１０と、主装置２２０と、ＩＰ電話端末２３０が、ＩＰ
ネットワーク１９に接続される構成により実現するものである。
【００２１】
主装置２２０は、ＩＰ電話システム主装置であり、電話端末の登録や呼接続を行う電話
制御部２２１と、ハードウェアを制御するＯＳ２２２と、ＩＰネットワーク１９に接続す
るデバイスであるＮｅｔｗｏｒｋ  Ｉｎｔｅｒｆａｃｅ  Ｃａｒｄ（以下ＮＩＣと略す）
２２３と、電話端末の登録状態や内線電話番号を記憶する記憶領域２２４とから構成され
る。主装置２２０は、ＩＰ電話システム配下にあるＩＰ電話端末２３０の内線番号とＩＰ
アドレスを記憶領域２２４内にある管理テーブル５１にて管理することにより、電話端末
間の呼接続制御と通話管理を実現している。
【００２２】
図５に、管理テーブルのイメージを示す。
管理テーブル５１は、図５に示すように、内線番号に対応する情報を同一レコードに持
つ構成をとる。例えば、内線番号３０１に対応するＩＰアドレスは10.0.0.11、ＭＡＣア
ドレスは00:00:00:00:00:11が割り当てられ、内線番号３０２に対応するＩＰアドレスと
しては10.0.0.12、ＭＡＣアドレスは00:00:00:00:00:12が割り当てられている。内線番号
３０１と内線番号３０２は、すでにＩＰ端末に割当済みで割当済みフラグが立っている。
このうち、内線番号３０１の端末は現在接続中、内線番号３０２の端末は未接続状態であ
る。内線番号３０３、３０４、３０５はまだ端末に割り当てられていない内線番号である
。
【００２３】
図２に戻り、ＩＰ電話端末２３０は、記憶領域２３１と、ＮＩＣ２３２と、デバイス制
御部２３３と、ＤＨＣＰ処理部２３４と、音声処理部２３５と、ハンドセット２３６から
構成される。記憶領域２３１は、自電話番号や接続先主装置２２０のＩＰアドレスを格納
する。またＩＰ電話端末２３０は、ＩＰネットワークに接続できるＩＰ機器としてＤＨＣ
Ｐに対応しており、ＤＨＣＰ処理部２３４は、ＤＨＣＰ装置２１０と通信して、ＤＨＣＰ
装置２１０から通知されるＩＰアドレスなどの各種パラメータを、自端末の記憶領域２３
１に設定する。ＩＰ電話端末２３０は、固定電話タイプでもＰＣ上のソフトフォンであっ
ても良い。
【００２４】
ＤＨＣＰ装置２１０は、ＤＨＣＰ制御部２１１と、ハードウェアを制御するＯＳ２１２
と、ＮＩＣ２１３と、記憶領域２１４とから構成される。
ＤＨＣＰ制御部２１１は、ＤＨＣＰ対応したさまざまなＩＰ機器に対してユニークなＩＰ
アドレスを付与し、これを記憶領域２１４にて管理する。また、前述したＤＨＣＰ拡張機
能を持ち、オプションフィールドにさまざまなパラメータ設定ができる機能を有する。
本実施例では、ＤＨＣＰ装置２１０が、予め記憶領域２１４に主装置２２０のＩＰアドレ
スを格納し、主装置２２０と通信することによりＩＰ電話端末の登録処理を実行し、ＤＨ
ＣＰ拡張機能を用いて、主装置２２０のＩＰアドレスと内線電話番号とをＩＰ電話端末２
３０に通知することにより、電話端末の登録を完了できるところが特徴である。この処理
の具体的な内容について、以下図３および図６を用いて説明する。
【００２５】
図３は、一連の端末登録処理を実行する図２の構成におけるＤＨＣＰ装置２１０とＩＰ
電話端末２３０と主装置２２０との間でのメッセージ送受信を示す図である。
図３において、それぞれの処理主体は、ＤＨＣＰ装置２１０ではＤＨＣＰ制御部２１１
であり、ＩＰ電話端末２３０ではＤＨＣＰ処理部であり、主装置２２０では電話制御部２
２１である。
電話端末２３０とＤＨＣＰ装置２１０との一連のメッセージの送受信は、ＲＦＣ２１３
１とＲＦＣ２１３２で規定されているメッセージ構成で行われる。
【００２６】
図６は、電話端末とＤＨＣＰ装置との間で送受信される各々のメッセージの構成を説明
する図である。
電話端末とＤＨＣＰ装置との間で送受信されるメッセージは、
ＲＦＣ２１３１とＲＦＣ２１３２で規定されているイーサネット（イーサネットは登録商
標）フレームで送信される。イーサネットフレームは、送信先ＭＡＣアドレスと送信元Ｍ
ＡＣアドレスとＩＰパケット部分からなる。ＩＰパケットは、送信先ＩＰアドレスと、送
信元ＩＰアドレスとＵＤＰパケットからなる。そして、ＵＤＰパケットは、送信元ポート
と、送信先ポートと、メッセージ部分を含む。
【００２７】
ＩＰ電話端末２３０をＩＰネットワーク１９に接続すると、ＩＰ電話端末２３０のＤＨ
ＣＰ機能により、ＤＨＣＰ装置２１０にＤＩＳＣＯＶＥＲメッセージ６１をブロードキャ
スト送信する(ステップ３１)。ＤＩＳＣＯＶＥＲメッセージは、図６(ａ)に示すような構
成である。
【００２８】
ＤＩＳＣＯＶＥＲメッセージ６１を見つけたＤＨＣＰ装置２１０は、ＩＰ電話端末２３
０にＯＦＦＥＲメッセージ６２を送信し、候補となる端末ＩＰアドレス「１０．０．０．
１３」を通知する(ステップ３２)。候補となるＩＰアドレスの通知は、ＯＦＦＥＲメッセ
ージを利用して行う。図６（ｂ）にＯＦＦＥＲメッセージの構成を示す。図６（ｂ）に示
すように、ＯＦＦＥＲメッセージには、メッセージとともに端末ＩＰアドレスが含まれて
いる。ＩＰ電話端末２３０は、ＯＦＦＥＲメッセージを受信するとＯＦＦＥＲメッセージ
とともに送られてきた端末ＩＰアドレスを取得する。
【００２９】
続いてＩＰ電話端末２３０は、端末ＩＰアドレスの正式取得要求であるＲＥＱＵＥＳＴ
メッセージ６３を送信する。このＲＥＱＵＥＳＴメッセージ６３では、正式ＩＰアドレス
として先に受信した「１０．０．０．１３」を要求し、端末種別としては「電話端末」を
通知する(ステップ３３)。図６（ｃ）に、このＲＥＱＵＥＳＴメッセージの構成を示す。
ＲＥＱＵＥＳＴメッセージは、図６（ｃ）に示すように、端末ＩＰアドレスと端末種別を
含んでいる。
【００３０】
このＲＥＱＵＥＳＴメッセージ６３を受け取ったＤＨＣＰ装置２１０は、まず端末種別
を判定する。端末種別が電話端末である場合には、主装置２２０に端末登録要求メッセー
ジを出す。この端末登録要求メッセージのパラメータとして、ＩＰ電話端末２３０に割り
当てるべきＩＰアドレスとＩＰ電話端末２３０のＭＡＣアドレスが設定されている(ステ
ップ３４)。  主装置２２０は、端末登録要求を受け端末登録処理３５を実行する。
【００３１】
図４は主装置２２０の端末登録処理３５の処理フローを説明する図である。
【００３２】
図４において、まず、管理テーブル５１のＭＡＣアドレスフィールドを参照して、ステ
ップ３４で受信した端末登録要求メッセージに含まれたＭＡＣアドレスの登録有無を調べ
る(ステップ４１)。すでにＭＡＣアドレスが登録されている場合は、該当するレコードの
内線番号を返す(ステップ４２)。一方、ステップ３４で受信した端末登録要求メッセージ
に含まれたＭＡＣアドレスが管理テーブル５１のＭＡＣアドレスフィールドに登録されて
いない場合は、新たに内線番号を割り当てる(ステップ４３)。新たな内線番号の割り当て
方法はいろいろ考えられるが、例として、ステップ４３では、管理テーブル５１の割当て
フラグが「未」のレコードを順に探し、最初に見つけたレコードの内線番号を新規内線番
号とする。このレコードのＩＰアドレスとＭＡＣアドレスにステップ３４で受信したＩＰ
アドレスとＭＡＣアドレスを設定し、同レコードの割当てフラグを「済」に設定する(ス
テップ４４)。最後に接続状態を「接続」に設定する(ステップ４５)。また、ＭＡＣアド
レスとＩＰアドレスを主装置２２０に通知しているため、前記の特開２００２−３１５０
２９号の方式を利用して、内線番号を自動的に適切に設定することも可能である。以上の
処理が完了することで主装置２２０の電話端末の登録が完了する。その後、ＤＨＣＰ装置
２１０に最終的に取得できた内線電話番号を通知する(ステップ３６)。
ＤＨＣＰ装置２１０は、端末用の正式ＩＰアドレスの通知メッセージとして、ステップ３
６で受信した内線電話番号と記憶領域２１４に格納されている主装置２２０のＩＰアドレ
スとをオプション情報として設定し、ＩＰ電話端末２３０にＡＣＫメッセージを送信する
(ステップ３７)。図６（ｄ）に、ＡＣＫメッセージの構成を示す。ＡＣＫメッセージには
、パラメータとして、主装置のＩＰアドレス、内線電話番号、端末ＩＰアドレスが含まれ
る。
【００３３】
ＩＰ電話端末２３０では、ステップ３７で受信したこれらのパラメータを自端末に設定
することにより、電話として機能できる状態になる(ステップ３８)。
本実施例では、図２に示すように主装置２２０とＤＨＣＰ装置２１０を分離した構成と
しているが、主装置２２０とＤＨＣＰ装置２１０が同一筐体である構成でも、機能的に本
実施例に示すような同様の動作をすることが可能である。
【符号の説明】
【００３４】
１１  ＩＰ電話システム主装置
１２,１３  ＩＰ電話端末
１４  電話アプリケーションプログラム
１５  ＰＣ
１６  スピーカ・マイク
１７  無線LANアクセスポイント
１８  無線電話端末
【図１】
2010187406.tif 000003
【図２】
2010187406.tif 000004
【図３】
2010187406.tif 000005
【図４】
2010187406.tif 000006
【図５】
2010187406.tif 000007
【図６】
2010187406.tif 000008